(57)【特許請求の範囲】
【請求項１】
冷蔵品と冷凍品をともに収納して運搬するための保冷容器（１）において、
冷蔵品が収納される蓋付きの本体容器（２）と、冷凍品が収納される容器であって本体容器（２）よりも小容積で本体容器（２）内に挿脱自在な蓋付きの内容器（３）からなり、
両容器（２，３）は、前後側面部（２１，２２：３１，３２）と左右側面部（２３，２４：３３，３４）からなる四側面部と底面部（２５：３５）と蓋面部（２６：３６）とをそれぞれ有し、各面部を柔軟性を有する複数の生地を重ねてなる積層体を縫製して折り畳み可能に形成され、
本体容器（２）は、保冷容器（１）を使用する際に、その内部に着脱自在であって前記四側面部（２１，２２，２３，２４）と底面部（２５）に重合する面板（５１，５２，５３，５４，５５）からなる枠板（５）と前記四側面部（２１，２３，２４，２５）のコーナー部に配置されるＬ字アングル材（６）とが装着されて箱形に保形され、保冷容器（１）不使用時には、枠板（５）とＬ字アングル材（６）を本体容器（２）から抜き取り、又は本体容器（２）内で枠板（５）の各面板を内方へ折り畳むことにより本体容器（２）の保形を解除して、本体容器（２）全体を折り畳めるように設けられているとともに、
本体容器（２）の前側面部（２１）と後側面部（２３）の上部に左右側面部（２４，２５）の近傍に亘って帯状に開口した冷気取込口（２７，２７）がそれぞれ設けられ、且つこれら前後側面部（２３，２２）に重合装着される枠板（５）の前面板（５１）と後面板（５２）の上部に前記冷気取込口（２７，２７）と位置対応させて帯状の開口（５１ａ，５２ａ）がそれぞれ設けられた構成を有することを特徴とする保冷容器。
【請求項２】
本体容器（２）の前後面部（２１，２２）にそれぞれの冷気取込口（２７，２７）を開放及び閉鎖する開閉手段を設けてなる請求項１に記載の保冷容器。
【請求項３】
冷気取込口（２７，２７）を透熱部材により被覆してなることを特徴とする請求項１又は２に記載の保冷容器。
【請求項４】
本体容器（２）と内容器（３）は、それぞれ各面部を、外装生地と断熱素材からなる内装生地を重ねてなる積層体、又は外装生地と内装生地の間に断熱材からなる中材を重ねてなる積層体を縫製して形成されてなることを特徴とする請求項１〜３の何れかに記載の保冷容器。
【請求項５】
本体容器（２）と内容器（３）を紐体（４）で連繋したことを特徴とする請求項１〜４の何れかに記載の保冷容器。
【請求項６】
請求項１〜５の何れかに記載の保冷容器（１）を用いた保冷物品の配送方法であって、
保冷容器（１）の内容器（３）に蓄冷剤とともに冷凍品を収納して閉蓋し、この内容器（３）を本体容器（２）内に収容するとともに本体容器（２）内の空き空間に冷蔵品を収納して閉蓋し、
前記冷凍品と冷蔵品が収納された保冷容器（１）を貨物自動車に搭載された冷蔵庫に入れ、冷蔵庫内の冷気を冷気取込口（２７，２７）から本体容器（２）内に取り込んで冷蔵品を保冷しつつ前記貨物自動車で保冷容器（１）を配送目的地まで移送し、
配送目的地において冷蔵庫から保冷容器（１）を取り出し、当該容器（１）に収納されていた冷凍品と冷蔵品を配達することを特徴とする保冷物品の配送方法。
【発明の詳細な説明】
【技術分野】
【０００１】
本発明は、冷蔵品と冷凍品をともに収納して同時に配送するのに好適な保冷容器と、これを用いて保冷物品を配送する方法に関する。
【背景技術】
【０００２】
スーパーマーケットやコンビニエンスストアなどの総合食料品店では、インターネットや電話による食料品の購入注文を受け付け、注文を受けた当日中に注文主の各家庭に食料品を配送するサービス、いわゆるネットスーパーサービスが行われている。かかるサービスでは、鮮魚や精肉などの冷蔵品やチルド食品、アイスクリームといった冷凍品は、配送中の品質劣化を避けるため、組み立て及び折り畳みが可能な専用の保冷容器に入れて配送されている。
【０００３】
図１３及び図１４は従来の保冷容器の一例を示し、図１３に示された容器は、断熱材により形成された箱体１００の側壁内面に蓄冷剤収納部１０１を備え、箱体１００内に収納された蓄冷剤と冷蔵品又は冷凍品を内蓋１０２で覆い、さらに蓋体１０３で箱体１００を密閉して配送に供するものである（例えば特許文献１参照）。
また、図１４に示された容器は、容器本体１１０の内部を上下に仕切る仕切りカバー１１１を備え、仕切りカバー１１１で仕切られた容器本体１１０の下部空間には常温で保存される食品Ａ、上部空間には冷蔵品Ｂをそれぞれ収納し、蓋体１１２の下側に収納した蓄冷剤１１３で前記上部空間の冷蔵品Ｂを冷却して配送に供するものである（例えば特許文献２参照）。
【先行技術文献】
【特許文献】
【０００４】
【特許文献１】特開２００５−３３５８１４号公報
【特許文献２】特開２００７−２９０７６３号公報
【発明の概要】
【発明が解決しようとする課題】
【０００５】
前記図１３に示された容器は、冷蔵品と冷凍品の何れかを収納して配送するのに適したものであり、保冷温度が異なる冷蔵品と冷凍品をともに収納して保冷温度を管理することはできなかった。また、図１４に示された容器は、常温保存食品と冷蔵品を収納して同時に配送可能であるものの、この容器も冷蔵品と冷凍品をともに収納して配送することはできない。
【０００６】
ネットスーパーで購入注文を受けて同じ届け先に対して冷蔵品と冷凍品を配送する場合、前記従来の容器では、冷蔵品と冷凍品をそれぞれ別の容器に梱包しなければならず、複数口の荷物配送となるため、配送過程で口割れが生じるリスクが高くなる。また、冷蔵品の容器と冷凍品の容器のそれぞれに蓄冷剤を収納する必要があるため、配送費用が高くならざるを得ないという問題がある。
【０００７】
本発明は従来技術の有するこのような問題点に鑑み、冷蔵品と冷凍品をまとめて一つの容器に収納し、それぞれを適正な保存温度に冷却しながら一つの荷物として配送することができるようにすることを課題とする。
【課題を解決するための手段】
【０００８】
前記課題を解決するため本発明は、冷蔵品と冷凍品をともに収納して運搬するための保冷容器において、冷蔵品が収納される蓋付きの本体容器と、冷凍品が収納される容器であって本体容器よりも小容積で本体容器内に挿脱自在な蓋付きの内容器からなり、
両容器は、前後側面部と左右側面部からなる四側面部と底面部と蓋面部とをそれぞれ有し、各面部を柔軟性を有する複数の生地を重ねてなる積層体を縫製して折り畳み可能に形成され、
本体容器は、保冷容器を使用する際に、その内部に着脱自在であって前記四側面部と底面部に重合する面板からなる枠板と前記四側面部のコーナー部に配置されるＬ字アングル材とが装着されて箱形に保形され、保冷容器不使用時には、枠板とＬ字アングル材を本体容器から抜き取り、又は本体容器内で枠板の各面板を内方へ折り畳むことにより本体容器の保形を解除して、本体容器全体を折り畳めるように設けられているとともに、
本体容器の前側面部と後側面部の上部に左右側面部の近傍に亘って帯状に開口した冷気取込口がそれぞれ設けられ、且つこれら前後側面部に重合装着される枠板の前面板と後面板の上部に前記冷気取込口と位置対応させて帯状の開口がそれぞれ設けられた構成を有することを特徴とする。
【０００９】
上記構成の保冷容器によれば、内容器内に蓄冷剤とともに冷凍品を収納し、これに蓋を被せて密閉すれば、内容器内を冷凍温度に保持することができる。この内容器を本体容器内に収容し、さらに本体容器内部の空き空間に冷蔵品を収納し、蓋を被せて梱包する。
梱包した保冷容器の配送には冷蔵庫を備えた貨物自動車を用い、保冷容器を冷蔵庫内に入れて配送に供する。この際、本体容器には冷気取込口が設けてあるので、冷蔵庫内の冷気が冷気取込口から本体容器内に取り入れられ、本体容器内を冷蔵品の保存に適した温度に保つことができる。
そして、冷蔵庫内の冷気で保冷容器内の冷蔵品を保冷しつつ冷蔵庫とともに保冷容器を配送目的地である顧客先まで移送し、顧客先で冷蔵庫から保冷容器を取り出し、容器に収納されていた冷凍品と冷蔵品を取り出して、顧客に配達することができる。
配送過程において、内容器内に収納された冷凍品は蓄冷剤により冷凍温度に保たれ、本体容器内に収納された冷蔵品は冷蔵庫内の冷気で冷蔵温度に保たれるので、冷凍品と冷蔵品の品質が劣化することはない。冷凍品と冷蔵品を一つの容器で同時に配送することができるので、冷蔵品と冷凍品を別々に容器に梱包する手間が省け、また、冷蔵品を冷却するための蓄冷剤は不要となるので配送コストを低廉に抑えることができ、配送過程で荷物の口割れが生じる虞もない。
【００１０】
前記構成の保冷容器において、本体容器の側面部に冷気取込口を開放及び閉鎖する開閉手段を設けることができる。
前記の通り、冷凍品と冷蔵品を収納して梱包された保冷容器は、貨物自動車の冷蔵庫に入れて配送されるが、冷凍品及び冷蔵品をピッキングして保冷容器に収納してから貨物自動車で集荷する迄に時間がある場合、保冷容器は保管場所で保管される。この際、保冷容器を冷蔵庫に入れて保管できないときは、本体容器内に冷蔵品とともに蓄冷剤を一時的に収納し、前記開閉手段で冷気取込口を閉鎖しておけば、冷気取込口から内部の冷気が外部に漏れることを防止して本体容器は密閉され、本体容器内に充満する冷気で冷蔵品を最適保存温度に冷却して品質を維持することができる。そして、保冷容器を貨物自動車の冷蔵庫に入れる際に、本体容器から蓄冷剤を取り出し、開閉手段を操作して冷気取込口を開放すれば、冷蔵庫内の冷気を冷気取込口から本体容器内に取り入れて、蓄冷剤を用いることなく冷蔵品を冷却し、配送中に品質が劣化することを防止することができる。
開閉手段としては、冷気取込口に沿って蓋部を開閉自在に設けたり、冷気取込口自体をスライドファスナー（ジッパー）などで開閉自在に設けたりして構成することができる。
【００１１】
前記構成の保冷容器において、本体容器内に冷気が確実且つ一様に流入して容器内部の冷気が置換されるように、本体容器の前側面部と後側面部の上部に左右側面部の近傍に亘って帯状に開口した冷気取込口をそれぞれ設けることが好ましい。この冷気取込口は、容器に収納した物品が冷気取込口から容器外部に抜け出ることを防止し、また、冷気以外のゴミや塵埃が本体容器内に入り込むことを防止するため、透熱部材で被覆してあることが好ましい。
本体容器の前側面部と後側面部の上部の二カ所に、帯状に開口した冷気取込口をそれぞれ設けたことで、容器内の冷気と、外気である冷蔵庫の冷気との置換を速やかに行わせしめ、容器内外を循環する冷蔵庫の冷気によって本体容器内部を効率的且つ確実に冷却することができる。
透熱部材は、冷気を本体容器内に取り込むことができ且つゴミなどを捕捉可能な適宜な部材、例えば金網や樹脂製の格子状網、メッシュ生地などを用いることができる。漁網程度の網目状の編み物や織物、或いは伸縮性を有する編み込みの生地などを用いてもよい。
【００１２】
前記構成の保冷容器において、内容器と本体容器は、ともに四側面部と底面部と蓋面部とを有し、各面部を外装生地と断熱素材からなる内装生地を重ねてなる積層体、又は前記内外装生地に断熱材からなる中材を重ねてなる積層体を折り畳み可能に縫製して形成することが好ましい。また、本体容器は、箱形の形状に保持するため、その内側に前記四側面部と底面部に重合する枠板と前記四側面部のコーナー部に配置されるＬ字アングル材とを装着することが好ましい。
前記外装生地としては、ポリエステル繊維のオックスフォード生地、平織り生地、ドビー織り生地、ジャガード織り生地、タフタ生地などを用いることができる。中材としては、発泡ポリオレフィン製のシート、好適には独立気泡の発泡ポリエチレン製のシート、或いは発泡ポリウレタン製のシート、不織布からなる断熱材などを用いることができる。内装生地としては、熱反射によって冷気を容器内に閉じ込めることが可能なアルミ蒸着フィルムが好適である。これらの素材は柔軟性を有しており、これらを重ねて縫製された容器は折り畳み可能に形成することができる。これらの素材を複数層に重ねてなる積層体をキルティング加工してもよい。
また、本体容器の形状を保持するための枠板とＬ字アングル材は、金属板や木製の平板、樹脂板、紙製段ボールなどを用いて形成することができるが、断熱性や耐水性を有し、本体容器に着脱する際に容器コーナー部で折り曲げが容易であることが望ましいことから、プラスチック段ボール、いわゆる段プラの使用が好適である。枠板とＬ字アングル材は折り畳み自在に設け、容器不使用時に両部材を本体容器内に折り畳んで収納することで、本体容器を小さく折り畳むことができるように構成することが好ましい。
【００１３】
保冷容器を構成する本体容器と内容器はそれぞれ断熱材を縫製して形成され、冷蔵品と冷凍品を収納する容器として個別に使用可能であるが、両容器を分離自在とすると一方の容器を紛失し易くなる。そこで、本体容器と内容器を適宜な長さの紐体で連繋しておき、本体容器と内容器を一体に保管して使用できるように構成することが好ましい。
【発明の効果】
【００１４】
本発明の保冷容器によれば、内容器内に収納した冷凍品を蓄冷剤で冷凍温度に保持するとともに、この内容器とともに本体容器内に収納した冷蔵品を、冷蔵庫内の冷気を冷気取込口から取り入れて冷蔵温度に保持し、冷凍品と冷蔵品をともに適正な保存温度に冷却しながら一つの荷物として配送に供することが可能である。冷凍品と冷蔵品を一つの容器で同時に配送することができるので、冷蔵品と冷凍品を別々に容器に梱包する手間が省けて配送コストが低廉に抑えられ、配送過程で荷物の口割れが生じる虞もない。
【図面の簡単な説明】
【００１５】
【図１】本発明の一実施形態の保冷容器の開蓋状態の外観斜視図である。
【図２】図１の保冷容器の側部外観斜視図である。
【図３】本体容器の構成を示す外観図である。
【図４】本体容器内に装着する枠板の構成を示す外観図である。
【図５】（Ａ）、（Ｂ）は内容器の開蓋状態と閉蓋状態の外観図である。
【図６】（Ａ）は本体容器の縫製生地の拡大断面図、（Ｂ）は内容器の縫製生地の拡大断面図である。
【図７】図１の保冷容器に物品を梱包した状態の外観斜視図である。
【図８】図１の保冷容器を折り畳んだ状態の外観斜視図である。
【図９】本発明の他の実施形態の保冷容器における本体容器の構成を示す外観図である。
【図１０】図９の本体容器を上方から見たときの容器内部の構成を示した図である。
【図１１】図９の本体容器における、冷気取込口を開放した状態（Ａ）と冷気取込口を閉鎖した状態（Ｂ）の容器の正面側外観図である。
【図１２】（Ａ）、（Ｂ）は図９の本体容器を蓋で閉鎖する工程を示した図である。
【図１３】従来の保冷容器の一例の外観図である。
【図１４】従来の保冷容器の他の例における（Ａ）は開蓋状態の外観図、（Ｂ）は閉蓋状態の容器の横断面図である。
【発明を実施するための形態】
【００１６】
本発明の好適な一実施形態を図面を参照して説明する。
図１及び図２は本発明の一実施形態の保冷容器の開蓋状態の外観を示しており、両図に示されるように、この保冷容器１は、蓋付きの本体容器２と、本体容器２よりも小容積な蓋付きの内容器３からなり、両容器２、３を適宜な長さの紐体４、４で分離不能に一体に連繋して構成してある。
【００１７】
本体容器２は、図３に示されるように、前後側面部２１、２２と左右側面部２３、２４と底面部２５と蓋面部２６とを有して、上面が開閉自在な有底袋状に形成してある。
これら各面部は、図６（Ａ）に示されるように、ポリエステル繊維のオックスフォード生地からなる外装生地２Ａにアルミ蒸着フィルムからなる内装生地２Ｂを一体に縫着してなる積層体を素材として折り畳み自在に縫製されており、容器使用の際にはその袋状内部に、図４に示される枠板５を装填し、容器を箱形に保形して荷物配送に供し、不使用時には折り畳んだ枠板５とともに容器全体を小さく折り畳んで保管することができるように設けてある。
【００１８】
より詳しくは、本体容器２の前側面部２１と後側面部２２は、横長矩形状を呈しており、それぞれ上部に左右側面部２３、２４の近傍に亘る長さで帯状に開口していて開口面を合成樹脂製の格子状網（樹脂メッシュ）で覆ってなる冷気取込口２７、２７を設けてある。
前側面部２１の外面上端には、後述する蓋面部２６のフラップ２６ａが止着する面状ファスナー２１ａを当該上端の左右両端に亘って帯状に固着してある。
【００１９】
左側面部２３と右側面部２４は、上辺が下辺よりも若干短い略台形状を呈しており、それぞれ上辺に内折れするフラップであって外面に面状ファスナー２３ｂ、２４ｂが固着されたフラップ２３ａ、２４ａを連設してある。
左右側面部２３、２４の外面には、それぞれ容器を持ち運ぶための把手２３ｃ、２４ｃ（図示せず）が取付けてあり、両把手の下側には、本体容器２を折り畳んだ状態に保持するための、先端に面状ファスナーが固着された固定ベルト２３ｄ、２４ｄを取付けてある。
【００２０】
蓋面部２６は、前記四側面部の上端で仕切られる開口面を閉鎖可能な大きさを有して後側面部２２の上端に一体に連設させてあり、その前端に突出した内折れするフラップ２６ａの内面と左右両端の内面とに帯状の面状ファスナー２６ｂ、２６ｃ、２６ｃを固着してある。
蓋面部２６の外面の略々中央部には、透明なフィルムを袋状に縫着してなる伝票入れ２６ｄを取付けてあり、また、先端部近傍の左右両側には本体容器２を折り畳んだときに前記固定ベルト２３ｄ、２４ｄの面状ファスナーが止着する面状ファスナー２６ｅ、２６ｅを固着してある（図７及び図８参照）。
【００２１】
本体容器２は、四側面部の上端で仕切られる開口面に蓋面部２６を覆い被せ、その内面に設けた面状ファスナー２６ｂ、２６ｃ、２６ｄを、それぞれ前側面部２１の上端に設けた面状ファスナー２１ａと左右側面部２３、２４のフラップ２３ａ、２４ａに設けた面状ファスナー２３ｂ、２４ｂに止着することにより前記開口面が閉鎖され、この状態で容器内部と外部が冷気取込口２７、２７を介して連通し、冷気取込口２７、２７から外気を閉蓋した容器内部に取り入れることができるように設けてある。
【００２２】
枠板５は、プラスチック段ボール製の平板からなり、図４に示されるように、本体容器２の前側面部２１の内面に重合する前面板５１と、後側面部２２の内面に重合する後面板５２と、左右側面部２３、２４の内面に重合する左右面板５３、５４と、底面部２５に重合する底面板５５とからなり、左右面板５３、５４と底面板５５は、後面板５２の左右両辺と底辺に折り曲げ自在に連設してある。前面板５１と後面板５２の上部には、前記前側面部２１と後側面部２２の上部に形成された冷気取込口２７、２７と位置対応させて帯状の開口５１ａ、５２ａを形成してある。
枠板５の前面板５１の左右両端には、プラスチック段ボール製のＬ字アングル材６、６が留めネジなどの固着具７により固定されており、また、後面板５２の左右両端にもＬ字アングル材６、６が固着具７により固定され、左右面板５３、５４を後面板５２との連設部を軸に外側へ回動させたときに、Ｌ字アングル材６、６によりガイドされた両面板５３、５４が後面板５２に対して直角をなす位置に保持されるように設けてある。
【００２３】
前記枠板５は、保冷容器１を使用する際に本体容器２内に、本体容器２の前側面部２１、後側面部２２、左右側面部２３、２４及び底面部２５の内面に枠板５の各面板が重ね合わさるように装着することで本体容器２を箱形に保持するようになっている。また、容器不使用時には、両部材を本体容器２から抜き取り、或いは本体容器２内で枠板５の各面板を内方へ（図４中の矢符方向）折り畳むことによって本体容器２の保形を解除し、本体容器２全体を折り畳むことができるようになっている。
【００２４】
内容器３は、図５及び図６（Ｂ）に示されるように、アルミ蒸着フィルムからなる内外装生地３Ａ、３Ｂの間に、発泡ポリエチレン製のシートからなる中材３Ｃを重ね合わせて一体に縫着してなる積層体を素材とし、前後側面部３１、３２と左右側面部３３、３４と底面部３５と蓋面部３６とを有する、上面が開閉自在な有底箱状に縫製して形成してある。
【００２５】
より詳しくは、内容器３は、その高さ寸法を本体容器２の高さ寸法の略１／２程度に設定し、全体が本体容器２内にすっぽりと収容される大きさに形成されており、その前側面部３１と左右側面部３３、３４の上辺に連設されたフラップ３１ａ、３３ａ、３４ａを内折れさせ、その上に掴み片３６ａを操作して蓋面部３６を折り重ね、フラップ３１ａの根本部分に帯状に固着された面状ファスナー３１ｂと蓋面部３６の先端部内面に帯状に固着された面状ファスナー３６ｂとを一体に止着することで、容器内部が密閉されるように設けてある。
また、内容器３の前後側面部３１、３２と左右側面部３３、３４には、その中間高さ位置に沿って折り畳みステッチが設けてあり（図５中の破線部分）、折り畳みステッチに沿って前記四側面部を偏平に折り重ねることができるように設けてある。
【００２６】
このように構成された本発明の保冷容器１を用い、以下の手順により保存温度が異なる保冷物品を一つの荷物として配送することが可能である。
【００２７】
先ず、予め本体容器２内に枠板５を装填し、本体容器２を箱形に保形しておく。最初に内容器３内に蓄冷剤とともに冷凍品を収納し、開口面に被せた蓋面部３６を前記各面状ファスナーで止着して内容器３を密閉する。密閉した内容器３は本体容器２内に収容する。
次いで、本体容器２内の、内容器３の上方の空き空間に冷蔵品を収納する。冷蔵品を収納したならば、図７に示されるように、本体容器２の開口面に蓋面部２６を被せてこれを前記各面状ファスナーで止着し、本体容器２の開口面を閉鎖することで冷凍品と冷蔵品の保冷容器１内の梱包が完了する。
【００２８】
保冷物品が梱包された保冷容器１の配送は、冷蔵庫を備えた貨物自動車を用いて行い、保冷容器１を冷蔵庫に入れて配送に供する。
この際、本体容器２には冷気取込口２７、２７が設けてあるので、冷蔵庫内の冷気が冷気取込口２７、２７から本体容器２内に取り入れられ、本体容器２内は冷蔵品の保存に適した温度に保たれる。また、内容器３内は、内部に密閉収納された蓄冷剤により冷凍品の保存に適した温度に保たれる。
そして、冷蔵庫内の冷気で本体容器２内の冷蔵品を保冷しつつ冷蔵庫とともに保冷容器１を配送目的地である顧客先まで移送し、顧客先で冷蔵庫から保冷容器１を取り出し、梱包された冷蔵品と冷凍品と順次取り出して顧客に引き渡すことで配送が完了する。
【００２９】
配送物品を顧客に引き渡して保冷容器１が空となったならば、本体容器２内でＬ字アングル材６、６を取り外し、枠板５の各面板を折り重ねた状態で、図８に示されるように、前記左右側面部２３、２４に設けた固定ベルト２３ｄ、２４ｄを蓋面部２６に設けた面状ファスナー２６ｅ、２６ｅに止着して容器全体を偏平に折り畳み、保冷容器１の嵩を小さくした状態でこれを移送し保管することができる。
【００３０】
図９〜図１２は本発明の保冷容器１を構成する本体容器２の他の実施形態を示しており、これは、冷気取込口２７を開閉する開閉手段としての蓋部２８を設けたものである。
なお、本体容器２は内部に枠板５が装着されて箱形に保形されるとともに枠板５とともに折り畳み自在であること、本体容器２に内容器３が紐体４、４で分離不能に連繋してあることなどは前記形態と同様である。
【００３１】
より詳しくは、蓋部２８は、冷気取込口２７を閉鎖可能は大きさを有する帯状の断熱素材からなる布片であり、前側面部２１の冷気取込口２７の下側で上方の冷気取込口２７の表面に折り重ね可能に縫合してある。蓋部２８の縁辺部中央には掴み片２８ａ、内面端部には面状ファスナー２８ｂがそれぞれ設けてあり、図１１（Ａ）に示されるように、冷気取込口２７が開放された状態から掴み片２８ａを操作して蓋部２８を冷気取込口２７に折り重ねれば、冷気取込口２７の上側に設けた面状ファスナー２１ｂに前記面状ファスナー２８ｂが止着して、同図（Ｂ）に示されるように冷気取込口２７を閉鎖する位置に蓋部２８が定着されるようになっている。また、蓋部２８の外面に設けた面状ファスナー２８ｃと前側面部２１に設けた面状ファスナー２１ｄを止着して、蓋部２８を前側面部２１の外面に定着させることで冷気取込口２７は開放状態に維持されるようになっている。なお、同様な蓋部２８は後側面部２２にも設けられており、後側面部２２に形成された冷気取込口２７も蓋部２８で開閉できるように設けてある。
【００３２】
また、図１０に示されるように、本体容器２の前側面部２１の内側中央には、前側面部２１の上下端部に伸びたゴム帯２１ｃが取付けられており、前記枠板５の前面板５１をゴム帯２１ｃ内に通して前面板５１を前側面部２１の内側に固定するとともに、飲料パックなどの長尺な冷蔵品や蓄冷剤をゴム帯２１ｃに通して収納することでこれら物品を本体容器２内の収納位置に固定できるようになっている。
【００３３】
さらに、この本体容器２では、左右側面部２３、２４のフラップ２３ａ、２４ａの内側に面状ファスナー２３ｂ、２４ｂが固着してあるとともに、蓋面部２６の左右両端の外面に面状ファスナー２６ｃ、２６ｃを固着してあり、図１２に示されるように、本体容器２の開口面に蓋面部２６を被せた後、前記フラップ２３ａ、２４ａを蓋面部２６に折り重ね、蓋面部２６の外面の面状ファスナー２６ｃ、２６ｃにフラップ２３ａ、２４ａの内側の面状ファスナー２３ｂ、２４ｂを止着することで本体容器２の開口面が閉鎖されるようになっている。
【００３４】
本形態の本体容器２は、冷気取込口２７を閉鎖する蓋部２８を備えているので、冷蔵品と冷凍品を梱包した保冷容器１を常温環境下で一時的に保管する場合に、本体容器２内に冷蔵品とともに蓄冷剤を一時的に収納し、蓋部２８で冷気取込口２７を閉鎖しておけば、冷気取込口２７から内部の冷気が外部に漏れることを防止して本体容器２は密閉され、保冷容器１を冷蔵庫に入れなくとも、本体容器２内に充満する冷気で冷蔵品を最適保存温度に冷却することが可能である。この場合、貨物自動車の冷蔵庫に保冷容器１を入れて配送に供するときは、本体容器１から蓄冷剤を取り出し、蓋部２８を操作して冷気取込口２７を開放すれば、冷蔵庫内の冷気が冷気取込口２７から本体容器２内に取り入れられ、冷蔵庫内の冷気で冷蔵品を冷却されるため、配送中に品質が劣化することはない。
【００３５】
なお、図示した保冷容器の形態は一例であり、本発明は他の適宜な形態で構成することが可能である。
【符号の説明】
【００３６】
１  保冷容器、２  本体容器、２１  前側面部、２２  後側面部、２３  左側面部、２４  右側面部、２５  底面部、２６  蓋面部、２７、２７  冷気取込口、２８  蓋部、３  内容器、３１  前側面部、３２  後側面部、３３  左側面部、３４  右側面部、３５  底面部、３６  蓋面部、４  紐体、５  枠板、６  Ｌ字アングル材、７  固着具
【図１】
0005431857.tif 000002
【図２】
0005431857.tif 000003
【図３】
0005431857.tif 000004
【図４】
0005431857.tif 000005
【図５】
0005431857.tif 000006
【図６】
0005431857.tif 000007
【図７】
0005431857.tif 000008
【図８】
0005431857.tif 000009
【図９】
0005431857.tif 000010
【図１０】
0005431857.tif 000011
【図１１】
0005431857.tif 000012
【図１２】
0005431857.tif 000013
【図１３】
0005431857.tif 000014
【図１４】
0005431857.tif 000015